(57)【要約】【課題】環境に優しい遊技機を提供する。【解決手段】ベース部材２０と、ベース部材２０の前面側に重ねて接合された中間部材３０と、中間部材３０の前面側に取り付けられて遊技領域を形成する遊技構成部品と、中間部材３０の前面側の遊技構成部品を避けた部分にシート部材４０を有し、前枠に取り付けられる遊技盤を備えた遊技機において、ベース部材２０の遊技構成部品を避けた部分に、透明または半透明の第１透光部が形成され、中間部材３０における第１透光部と対応する部分に、前後に貫通する貫通穴が形成され、第１透光部に設けられ、外光を集光する凸レンズ１５３と、凸レンズ１５３により集光されるとともに第１透光部を通過した光を検出する受光素子１５１と、受光素子１５１が受光した光の検出値に基づいて前記遊技機の振動を検出する振動検出手段とを備えて構成される。【選択図】図１２
2010029305.tif 000002
【特許請求の範囲】
【請求項１】
枠部材と、
板状に形成された第１板部と、前記第１板部の前面側に重ねて接合された第２板部と、前記第２板部の前面側に取り付けられて遊技領域を形成する遊技構成部品とを有し、前記枠部材に取り付けられる遊技盤と、
前記枠部材の裏面側に取り付けられるとともに前記遊技盤の裏面側を覆う閉止位置に保持されて用いられる裏セット盤とを備えた遊技機において、
前記第２板部における前記遊技構成部品を避けた部分に、透明または半透明の第１透光部が形成され、
前記第１板部における前記第１透光部と対応する部分に、前後に貫通する貫通穴が形成され、
前記第１透光部に設けられ、外光を集光する集光手段と、
前記集光手段により集光されるとともに前記第１透光部を通過した光を検出する受光手段と、
前記受光手段が受光した光の検出値に基づいて前記遊技機の振動を検出する振動検出手段とを備えたことを特徴とする遊技機。
【請求項２】
前記受光手段が、弾性を有する支持部材を介して前記裏セット盤に支持されていることを特徴とする請求項１に記載の遊技機。
【請求項３】
前記受光手段は、弾性を有する支持部材を介して前記遊技盤に取り付けられていることを特徴とする請求項１に記載の遊技機。
【請求項４】
前記集光手段は、前記第２板部と一体的に形成されることを特徴とする請求項１〜３のいずれかに記載の遊技機。
【請求項５】
前記遊技構成部品を避けた部分であって、前記第１透光部に対応する部分に、透明または半透明の第２透光部が形成されたシート状のシート部材が、
前記第２板部の前面側の前記遊技構成部品を避けた部分に重ねて接合されたことを特徴とする請求項１〜４のいずれかに記載の遊技機。
【請求項６】
前記集光手段と前記受光手段の間に、前記集光手段により集光される光を絞る絞り手段が設けられていることを特徴とする請求項１〜５のいずれかに記載の遊技機。
【発明の詳細な説明】
【技術分野】
【０００１】
本発明は、振動検出機構を備えた遊技機に関する。
【背景技術】
【０００２】
パチンコ機等の遊技機において、遊技機を叩いたり揺すったりして、遊技球を無理矢理大当たりが発生する特定領域に導こうとしたり、遊技機に誤動作を引き起こさせる等の不正行為が行われることがあり、その被害が大きな社会問題になっている。このため遊技施設の係員による監視強化のみならず、遊技機メーカー各社においても、このような、遊技機を叩いたり揺すったりして振動させる不正行為を早期に検知して警報を発するべく、振動検出装置の開発が進められている。このような振動検出装置としては、衝撃センサを用いた振動検出装置が周知となっており（例えば、特許文献１を参照）、また、加速度を検出し、その加速度が所定値を超えたことを検知した際に、振動が発生したと判断するものや、物理的な接触を振動と判定するものが知られている。
【特許文献１】特開２００８−３９４７６号公報
【発明の開示】
【発明が解決しようとする課題】
【０００３】
しかしながら、上述したような衝撃センサ等を用いた振動検出装置を用いた場合、製造コスト、または消費電力等のコストが高いという問題があった。
【０００４】
本発明は、このような問題に鑑みてなされたものであり、製造コスト、または消費電力等のコストを低減させ、環境に優しい遊技機を提供することを目的とする。
【課題を解決するための手段】
【０００５】
このような目的を達成するため、第１の発明に係る遊技機は、枠部材（例えば、実施形態における前枠２）と、板状に形成された第１板部（例えば、実施形態における中間部材３０）と、第１板部の前面側に重ねて接合された第２板部（例えば、実施形態におけるベース部材２０）と、第２部材の前面側に取り付けられて遊技領域を形成する遊技構成部品とを有し、枠部材に取り付けられる遊技盤と、枠部材の裏面側に取り付けられるとともに遊技盤の裏面側を覆う閉止位置に保持されて用いられる裏セット盤とを備えた遊技機において、第２板部における遊技構成部品を避けた部分に、透明または半透明の第１透光部が形成され、第１板部における第１透光部と対応する部分に、前後に貫通する貫通穴が形成され、第１透光部に設けられ、外光を集光する集光手段（例えば、実施形態における凸レンズ６３、１５３）と、集光手段により集光されるとともに遊技盤に形成された透光部を通過した光を検出する受光手段（例えば、実施形態における受光素子７１、１０１、１２１、１３１）と、受光手段が受光した光の検出値に基づいて遊技機の振動を検出する振動検出手段（例えば、実施形態における主制御装置８８）とを備えて構成される。
【０００６】
また、受光手段は、弾性を有する支持部材（例えば、実施形態における板バネ１２４、Ｕ字型板バネ１３４）を介して前記裏セット盤に支持されていることが好ましい。
【０００７】
なお、受光手段は、弾性を有する支持部材（例えば、実施形態における弾性板１５２）を介して前記遊技盤に取り付けられていてもよい。
【０００８】
また、集光手段は、第２板部と一体的に形成されることが好ましい。
【０００９】
そして、遊技構成部品を避けた部分であって、第１透光部に対応する部分に、透明または半透明の第２透光部が形成されたシート状のシート部材が、第２板部の前面側の遊技構成部品を避けた部分に重ねて接合されることが好ましい。
【００１０】
さらに、集光手段と受光手段の間に、集光手段により集光される光を絞る絞り手段が設けられていることが好ましい。
【発明の効果】
【００１１】
第１の発明に係る遊技機においては、遊技機が振動したとき、遊技盤に取り付けられた集光手段が裏セット盤に取り付けられた受光手段に対して振動し、受光手段が受光する光が変化することで、パチンコ機の振動を確実に検出することができ、また、集光手段が集光する光として、外光を使用する構成となっているため、遊技盤にかかる消費電力等のコストを抑えることができる。
【００１２】
また、受光手段が、裏セット盤に弾性を有した支持部材で支持されていることにより、より確実に遊技機の振動を受光手段に伝えること可能となり、遊技機のより細かな振動を検出することができる。
【００１３】
なお、受光手段が、遊技盤に直接取り付けられていることにより、裏セット盤等に加工を加えることなく、振動検出機構を標準装備させた遊技盤を提供することが可能となる。
【００１４】
また、集光手段が第２板部と一体的に形成されることで、振動検出機構を遊技盤の標準装備として提供することができる。
【００１５】
そして、遊技構成部品を避けた部分であって第１透光部に対応する部分に第２透光部が形成されたシート状のシート部材を、第２板部の前面側の遊技構成部品を避けた部分に重ねて接合させることにより、第１透光部と第１板部との境界が遊技機の前面側から不可視とすることができる。
【００１６】
また、受光手段が受ける光の光量を調節する絞り手段を設けることにより、振動検出機構の精度を上げることができる。
【発明を実施するための最良の形態】
【００１７】
以下、本発明の好ましい実施形態について図面を参照しながら説明する。本発明に係る遊技盤を備えた弾球遊技機の代表例としてパチンコ機ＰＭの正面図を図１に示しており、まず、図１を参照しながらパチンコ機ＰＭの全体構成について説明する。
【００１８】
パチンコ機ＰＭは、外郭方形枠サイズに構成されて縦向きの固定保持枠をなす外枠１の開口前面に、これに合わせた方形枠サイズに構成された開閉搭載用の枠部材として使用する前枠２が互いの正面左側上下に配設されたヒンジ機構３ａ，３ｂにより前方に横開き開閉及び着脱が可能に取り付けられ、正面右側に設けられた施錠装置４を利用して常には外枠１と係合連結された閉止状態に保持される。
【００１９】
前枠２の前面側上部には、ガラス扉５が前方に横開き開閉及び着脱可能に取り付けられ、施錠装置４を利用して常には前枠２の前面を覆う閉止状態に保持される。ガラス扉５の背後に位置する前枠上部には、遊技盤１０を着脱可能に収容する収容部（図示せず）が設けられており、この収容部に立設姿勢で係止保持された遊技盤１０がガラス扉５を通して視認されるようになっている。
【００２０】
前枠２の前面における上記ガラス扉５の下側には、遊技球を貯留する上球皿６が取り付けられており、この上球皿６の下側には下球皿７および発射ハンドル８が取り付けられている。また、図示省略するが、上球皿６に前面側が覆われた前枠２の下部領域には遊技補助盤（図示せず）と称される補助機構部が形成されており、この遊技補助盤には、遊技盤１０の遊技領域ＰＡ内に遊技球を発射する遊技球発射装置（図示せず）等が設けられている。
【００２１】
なお、前枠２の背面側には、図２に示すように、裏セット盤８０がヒンジ機構（図示せず）により揺動開閉および着脱可能に取り付けられる。裏セット盤８０には、遊技球を貯留する球貯留タンク８１、球貯留タンク８１から供給された遊技球を整列させて流下させるタンクレール８２、球圧を軽減して遊技球を下方に流下させるＳ字レール８３、入賞状態等に基づいて遊技球を払い出す球払出装置８４、球払出装置８４から払い出された遊技球を上球皿６に導く球払出流路８５等の遊技球の処理機構が設けられている。また、裏セット盤８０には、パチンコ機ＰＭの作動を統括的に制御し、パチンコ機ＰＭの振動を検出する主制御装置８８等の各種制御装置や、回路基板（図示せず）等の各種電子部品が取り付けられており、これらが図示しないコネクタケーブルで接続されてパチンコ機ＰＭが作動可能に構成される。
【００２２】
パチンコ機ＰＭは、前枠２やガラス扉５等が閉鎖施錠された状態で遊技に供され、上球皿６に遊技球を貯留させて発射ハンドル８を回動操作することにより遊技が開始される。発射ハンドル８が回動操作されると、上球皿６に貯留された遊技球は、上球皿６の背面側に位置する遊技球発射装置により１球ずつ遊技領域ＰＡに打ち出され、パチンコゲームが展開される。
【００２３】
次に、遊技盤１０について図３〜図６を参照しながら説明する。ここで、図３は遊技盤１０の正面図、図４は遊技盤１０の背面図、図５は遊技盤１０を構成するベース部材２０の正面図、図６は遊技盤１０を構成する中間部材３０の正面図である。
【００２４】
遊技盤１０は、ベース部材２０（第２部材）と、ベース部材２０の前面側に接合された中間部材３０（第１部材）と、中間部材３０の前面側に接着されたシート部材（セルシート）４０等により構成される。図３に示すように、シート部材４０の前面における外周部近傍には、左側に案内レール１２を有したレール飾り１３がビス止めされ、遊技構成部品の一つであるレール飾り１３によって囲まれた内側に、遊技球発射装置（図示せず）より打ち出されて案内レール１２に沿って上昇した遊技球が転がり落ちる略円形の遊技領域ＰＡが区画形成される。
【００２５】
遊技領域ＰＡには、遊技構成部品として、多数本の遊技釘５１とともに、第１および第２の始動入賞装置６０ａ，６０ｂや可動入賞装置５３、電動役物装置５４、一般入賞装置５６等の各種入賞装置と、電動役物装置５４を開放作動させるゲート５５と、中央に表示開口を有するセンター役物５７と、センター役物５７の表示開口を介して遊技展開に応じた画像を表示する液晶表示パネル５８等が取り付けられる。また、遊技領域ＰＡの下端部には、各入賞装置に落入することなく遊技領域ＰＡを転動落下した遊技球を遊技盤１０の背面側に排出させるアウト口５９が設けられる。
【００２６】
シート部材（セルシート）４０は、樹脂材料を用いて所定の模様が印刷された矩形シート状に形成され、接着剤により中間部材３０の前面側に接着される。図３に示すように、シート部材４０における遊技構成部品を避けた部分には、透明もしくは半透明の３つのシート側透光部４１ａ〜４１ｃが形成される。３つのシート側透光部４１ａ〜４１ｃのうち第１のシート側透光部４１ａは、センター役物５７の左下方において斜め方向に平行に並ぶ複数の遊技釘５１（道釘）同士の間隙部に設けられ、細長い長方形に形成される。また、第２のシート側透光部４１ｂは、センター役物５７の左方において遊技釘５１を避けた位置に設けられ、遊技釘と同等の大きさの小さな円形に形成される。また、第３のシート側透光部４１ｃは、センター役物５７の左上方において遊技釘５１を避けた位置に設けられ、斜め方向を向く楔形に形成される。
【００２７】
中間部材３０は、図６に示すように、ブナ材やラワン材を用いた積層合板を用いて、厚さ１０ｍｍの矩形平板状に形成され、ネジ等の接合手段を用いてベース部材２０の前面側に接合される。中間部材３０における第１のシート側透光部４１ａと対応する部分には、前後に貫通する第１の貫通穴３１ａが形成されており、第１の貫通穴３１ａの断面形状は、第１のシート側透光部４１ａと同様の細長い長方形となっている。また、中間部材３０における第２のシート側透光部４１ｂと対応する部分には、前後に貫通する第２の貫通穴３１ｂが形成されており、第２の貫通穴３１ｂの断面形状は、第２のシート側透光部４１ｂと同様の小さな円形となっている。また、中間部材３０における第３のシート側透光部４１ｃと対応する部分には、前後に貫通する第３の貫通穴３１ｃが形成されており、第３の貫通穴３１ｃの断面形状は、第３のシート側透光部４１ｃと同様の楔形となっている。
【００２８】
ベース部材２０は、図５に示すように、ポリカーボネート（ＰＣ）やＡＢＳ樹脂等の樹脂等といった透明もしくは半透明の樹脂材料を用いて、厚さ９ｍｍの矩形平板状に形成される。ベース部材２０の中央部には、センター役物５７を取り付けるための第１のベース側穴部２１ａが形成される。さらに、ベース部材２０における第１のベース側穴部２１ａの下側には、第１の始動入賞装置６０ａを取り付けるための第２のベース側穴部２１ｂや、可動入賞装置５３を取り付けるための第３のベース側穴部２１ｃ、第２の始動入賞装置６０ｂやゲート５５を取り付けるための第４のベース側穴部２１ｄ、電動役物装置５４を取り付けるための第５のベース側穴部２１ｅ、一般入賞装置５６を取り付けるための第６のベース側穴部２１ｆが形成される。また、ベース部材２０の下端部中央には、アウト口５９を設けるためのアウト口用切り欠き２２が形成される。
【００２９】
ベース部材２０の前面における第１のシート側透光部４１ａと対応する部分には、第１のシート側透光部４１ａと同様の断面形状を有する凸形の第１のベース側透光部２３ａが形成されており、中間部材３０の第１の貫通穴３１ａと嵌合可能に構成される。また、ベース部材２０の前面における第２のシート側透光部４１ｂと対応する部分には、第２のシート側透光部４１ｂと同様の断面形状を有する凸形の第２のベース側透光部２３ｂが形成されており、中間部材３０の第２の貫通穴３１ｂと嵌合可能に構成される。また、ベース部材２０の前面における第３のシート側透光部４１ｃと対応する部分には、第３のシート側透光部４１ｃと同様の断面形状を有する凸形の第３のベース側透光部２３ｃが形成されており、中間部材３０の第３の貫通穴３１ｃと嵌合可能に構成される。なお、第１〜第３のベース側透光部２３ａ〜２３ｃはそれぞれ、ベース部材２０の平坦部分の前面から９．８〜９．９５ｍｍの高さ（厚さ）を有しており、中間部材３０の厚さが１０ｍｍであるため、第１〜第３の貫通穴３１ａ〜３１ｃとそれぞれ嵌合したときに、第１〜第３のベース側透光部２３ａ〜２３ｃの前面が中間部材３０の前面に（わずかに凹んだ位置で）ほぼ並ぶようになっている。また、ベース部材２０の前面における外周部近傍には、複数のレール取り付け部２４が前方に突出して形成されている。
【００３０】
以上のように構成されるパチンコ機ＰＭには、不正行為等による振動を検出するための振動検出装置７０が設けられており、まず、第１実施形態の振動検出装置７０について図７を参照しながら説明する。振動検出装置７０は前述した裏セット盤８０の背面に設けられており、集光手段として使用する凸レンズ６３は、凸形に形成されたベース部材２０の透光部の前部内側に、ベース部材２０と一体的に形成されており、凸レンズ６３に入射された光６４ａは、凸レンズ６３により集光され、集光された光束６４ｂは、光軸Ａを軸として後方の振動検出装置７０に入射されるようになっている。振動検出装置７０は、受光手段として使用し、受光した光信号を電気信号に変換する受光素子７１、ハウジング７２、支持板７３等で構成されており、受光素子７１は、ハウジング７２の内部に接合された支持板７３に固設されており、上述した凸レンズ６３の焦点距離が、凸レンズ６３と受光素子７１との間の距離と等しく、ちょうど受光素子７１の受光面が焦点となるよう構成されている。この場合、パチンコ機ＰＭが振動していない通常時は、凸レンズ６３を通して、裏セット盤８０に形成されている入射孔７４から受光素子７１に光が入射され、受光素子７１でその光を検出することができるようになっている。また、遊技盤１０が振動を受けた場合は、裏セット盤８０に配設した受光素子７１に対して遊技盤１０が相対的に振動することにより、上述した焦点の位置が受光素子７１の受光面からずれるため、受光素子７１に入射される光量が変化する。受光素子７１が受光する光の光量が所定量以上変化すると、光量が変化することにより受光素子７１が変換する電気信号が変化し、この電気信号の変化を前述した主制御装置８８が検出し、後に詳述するホールコンピュータ７５に振動検出信号を送信するようになっている（後に詳述）。
【００３１】
また、図８のブロック図に示されるように、パチンコ機ＰＭに内蔵されている振動検出装置７０は主制御装置８８を介して、振動検出時に警報を発する警告手段７６や振動を検出した旨を画面等に表示させる表示手段７７を有するホールコンピュータ７５と、図示しない通信手段を介して電気的に接続されている。遊技場内のパチンコ機ＰＭは、ホールコンピュータ７５によって集中管理されるようになっており、振動検出時に振動検出装置７０の受光素子７１が受光する光量が変化することにより、主制御装置８８が出力した振動検出信号は、ホールコンピュータ７５内に取り込まれ、警告手段７６により、ホール管理者に不正行為が発生した可能性がある旨の警報を流すとともに、表示手段７７により、不正行為が発生した可能性がある旨の内容が表示されるようになっている（後に詳述）。
【００３２】
以上のように構成された第１実施形態の振動検出装置７０を用いて、以下でパチンコ機ＰＭで発生した振動の検出方法について説明する。例えば、遊技者が意図的に上球皿６の上部を叩き、この不正行為により、ある一定以上の大きさの振動が発生したものと仮定する。このとき、当該振動により受光素子７１が受光していた光量が変化し、この光量の変化を、主制御装置８８が検知する。その後、主制御装置８８からホールコンピュータ７５に向けて不正行為を検出した旨の振動検出信号が出力され、その信号に基づいてホールコンピュータ７５が、パチンコ機ＰＭにおいて不正行為が行われている可能性が高いものと判断し、その旨が表示手段７７に表示される。具体的には、ホールコンピュータ７５に接続されたディスプレイの画面上に、パチンコ機ＰＭの台番号とともに、ホール管理者の注意を促すための所定の文字情報が表示される。また、このときに、ランプやブザー等の警告手段７６を作動させて、光や音によりホール管理者に注意を促す。
【００３３】
以上のような第１実施形態の振動検出装置７０によれば、パチンコ機ＰＭにある一定以上の大きさの振動が発生すると、受光素子７１に入射される光量が変化し、その光量の変化に伴い受光素子７１が発する電子信号が変化し、その電気信号の変化を主制御装置８８が検出し、ホールコンピュータ７５に振動検出信号を送信するため、パチンコ機ＰＭに発生した振動を確実に検出することができる。
【００３４】
また、上述したパチンコ機ＰＭで発生した振動の検出方法について、振動を検出したとき、主制御装置８８からホールコンピュータ７５に向けて振動検出信号が出力される例について示したが、これに限られることなく、例えば、受光素子７１が受光していた光量の変化を主制御装置８８が検知したとき、不正行為が行われている旨を液晶表示パネル５８に表示したり、パチンコ機ＰＭに備えられた図示しないスピーカから警告を促す音声を出力させるようにしてもよい。
【００３５】
さらに、上述の第１実施形態において、振動検出装置７０を裏セット盤８０の背面に配設した例について説明したが、この構成に限られるものではなく、振動検出装置７０を裏セット盤８０の前面に配設してもよい。
【００３６】
次に、第２実施形態の振動検出装置１００について図９を参照しながら説明する。振動検出装置１００は、図６または図７に示した第１実施形態の振動検出装置７０とほぼ同様の構成である。よって異なる部分についてのみ以下で説明する。まず、振動検出装置１００は、受光手段として使用する受光素子１０１、ハウジング１０２、支持板１０３等で構成されており、ハウジング１０２と裏セット盤８０との間に、集光される光の絞り手段として、裏セット盤８０に形成されている入射孔１０４より面積が小さい透光部１０５を有する絞り１１０をハウジング１０２と裏セット盤８０の間に設け、絞り１１０を挟みこんだハウジング１０２は、ネジ１０６により裏セット盤８０に固設されている。
【００３７】
以上のように構成された第２実施形態の振動検出装置１００を用いた振動検出方法は、前述した第１実施形態と同様であるが、絞り１１０を設けて、受光素子１０１が凸レンズ６３から入射孔１０４を経て受光する光束を絞ることにより、振動検出装置１００が検出する振動の基準値を変更することが可能である点において異なる。例えば、振動の感度を上げ微弱な振動をも検出したいような場合は、絞り１１０の透光部１０５の面積を小さくすることで、微弱な振動を受けた際にも受光素子１０１に入射される光量が変化するため、より細かな振動を検出できる。また、微弱な振動を検出する必要がないような場合は、絞りの透光部１０５の値を大きくすることで、当該振動を検出しないようにすることができる。
【００３８】
以上、第２実施形態の振動検出装置１００によれば、絞り１１０を挿入することにより、検出する振動の感度を高くすることができ、また透光部１０５の面積が異なる絞り１１０を挿入することにより、検出する振動の感度を調節することができる。
【００３９】
次に、第３実施形態の振動検出装置１２０について図１０を参照しながら説明する。振動検出装置１２０は、図７に示した第１実施形態の振動検出装置７０とほぼ同様の構成である。よって異なる部分のみ以下で説明する。まず、振動検出装置１２０は、受光手段として使用する受光素子１２１、ハウジング１２２、支持板１２３、板バネ１２４、ネジ１２５等で構成されており、板バネ１２４はネジ１２５によりハウジング１２２に接合されており、また、支持板１２３は板バネ１２４に固設されている。
【００４０】
以上のように構成された第３実施形態の振動検出装置１２０を用いた振動検出方法は、前述した第１実施形態と同様であるが、板バネ１２４を配設することにより、パチンコ機ＰＭに加えられた振動がより確実に支持板１２３に伝えられるという点で異なる。具体的には、板バネ１２４は、パチンコ機ＰＭに加えられた振動力をばね定数で除した分だけ変位するため、より振動の感度を上げ微弱な振動を検出したいような場合は、ばね定数の小さい板バネ１２４を配設すればよく、また振動の感度を下げ微弱な振動を検出する必要がないような場合は、ばね定数の大きい板バネ１２４を配設すればよい。
【００４１】
以上、第３実施形態の振動検出装置１２０によれば、板バネ１２４を用いて受光素子１２１を支持する構成になっていることにより、より確実に受光素子１２１に振動を伝えることができ、また、ばね定数の異なる板バネ１２４を配設することで、振動の感度を調節することができる。
【００４２】
なお、上述の第３実施形態において、受光素子１２１を支持するバネとして板バネ１２４を使用したが、これに限られるものではなく、他の弾性部材を用いるようにしてもよい。また、板バネ１２４等の弾性部材が受光素子１２１に加える付勢力の大きさを、ばね定数の異なる弾性部材を配設することにより変更することができる。
【００４３】
次に、第４実施形態の振動検出装置１３０について図１１を参照しながら説明する。振動検出装置１３０は、図７に示した第１実施形態の振動検出装置７０とほぼ同様の構成である。よって異なる部分についてのみ以下で説明する。まず、振動検出装置１３０は、受光手段として使用する受光素子１３１、ハウジング１３２、支持板１３３、縦幅がＤ１の第１ネジ穴１３７と、縦幅がＤ２の第２ネジ穴１３８を有するＵ字型板バネ１３４、第１ネジ１３５、第２ネジ１３６等で構成されており、図１１（ｃ）に示すように支持板１３３は、Ｕ字型板バネ１３４に第１ネジ１３５により接合されており、Ｕ字型板バネ１３４は、ハウジング１３２に第２ネジ１３６により接合されている。
【００４４】
また、第４実施形態の振動検出装置１３０は、Ｕ字型板バネ１３４をハウジング１３２に接合する際に、第２ネジ１３６を第２ネジ穴１３８の縦幅Ｄ２の間のどこに入れるかについて、任意の場所を選択することができるように構成されている。
【００４５】
以上のように構成された第４実施形態の振動検出装置１３０を用いた振動検出方法は、前述した第１実施形態と同様であるが、Ｕ字型板バネ１３４をハウジング１３２に接合させる際に、上述した第２ネジ１３６を接合させる場所を変更することによって、検出する振動の感度を調整できるという点で異なる。具体的には、第２ネジ１３６を第２ネジ穴１３８の最上部に接合する場合には、Ｕ字型板バネ１３４が支持板１３３に及ぼす弾性力が最大となるため、振動を受けたときの受光素子１３１の振動がより大きくなり、振動検出装置１３０は、より微弱な振動を検出し振動の感度を上げることができる。また、第２ネジ１３６を第２ネジ穴１３８の最下部に接合する場合には、Ｕ字型板バネ１３４が支持板１３３に及ぼす弾性力が最小となるため、振動を受けたときの受光素子１３１の振動が小さくなり振動の感度を下げることができる。
【００４６】
以上、第４実施形態の振動検出装置１３０によれば、第１ネジ穴１３７、第２ネジ穴１３８の２つのネジ穴を有するＵ字型板バネ１３４を用いて受光素子１３１を支持する構成になっていることにより、第２ネジ１３６を止める場所を変更することで振動の感度を調節することができる。また、第４実施形態では、Ｕ字型板バネ１３４を受光素子１３１の受光面と平行な方向に開口されるよう配設した例について説明したが、これに限られることなく、例えば、Ｕ字型板バネ１３４を、受光素子１３１の受光面と直交する方向に開口させるように配設することもできる。なお、この場合、Ｕ字型板バネ１３４が受光素子１３１に加える付勢力の方向が図１１における上下方向となるが、このように、配設する弾性部材の形状を変更することにより、弾性部材が受光素子１３１に加える付勢力の方向を変更することができる。
【００４７】
次に、第５実施形態の振動検出装置１５０について図１２を参照しながら説明する。振動検出装置１５０は、受光手段として使用する受光素子１５１、受光素子１５１を支持する弾性板１５２、集光手段として使用する凸レンズ１５３、ネジ１５４等で構成されている。受光素子１５１は弾性板１５２により支持されており、弾性板１５２はネジ１５４によりベース部材２０に接合されている。また、凸レンズ１５３は、ベース部材２０の透光部の背面に、ベース部材２０と一体となって形成されている。
【００４８】
ここで、本実施形態では、振動を検出するために、外光１５５ａを凸レンズ１５３で集光させて、凸レンズ１５３から発せられた光１５５ｂは、光軸Ａを軸として後方の受光素子１５１に入射されるようになっている。ここで、凸レンズ１５３の焦点距離は、凸レンズ１５３と受光素子１５１との間の距離と等しく、ちょうど受光素子１５１の受光面が焦点となるよう構成されている。この場合、パチンコ機ＰＭが振動していない通常時は、凸レンズ１５３を通して受光素子１５１に光が入射され、受光素子１５１でその光を検出することができるようになっている。このように、受光素子１５１を弾性板１５２に固定させた場合、振動検出装置１５０をベース部材２０に直接配設することもできる。
【００４９】
以上、上述した各実施形態で用いた遊技盤１０は、樹脂性のベース部材２０と、ベース部材２０の前面側に重ねて接合された木製の中間部材３０と、中間部材３０の前面側に重ねて接合されたシート部材４０とを備えて構成されるため、樹脂性のベース部材２０および木製の中間部材３０を用いて遊技盤１０の強度を確保することにより、従来と比較して約半分の木材使用量で遊技盤１０を構成することが可能になり、木材の使用量を低減させることができる。
【００５０】
また、中間部材３０の前面側に重ねてシート部材４０を接合させていることにより、パチンコ機ＰＭの前面から、ベース部材２０の透光部と中間部材３０との境界を不可視とすることができる。
【００５１】
なお、遊技釘５１がシート部材４０を通して中間部材３０に打ち込まれており、ベース側透光部２３ａ〜２３ｃを中間部材３０の貫通穴３１ａ〜３１ｃと嵌合される凸形に形成するようにすれば、合成樹脂のように遊技釘を打ち込むための下穴を形成する必要がなく、凸形のベース側透光部２３ａ〜２３ｃにより中間部材３０における貫通穴３１ａ〜３１ｃの近傍の強度が向上することから、比較的高い生産性および強度を保ちながら木材の使用料を低減させることができる。
【００５２】
上述した各実施形態の振動検出装置においては、外光を利用して振動を検出するよう構成されているため、衝撃センサ等を用いた従来の振動検出装置と比較しパチンコ機ＰＭの振動検出装置にかかる電力コストを低減させることができる。
【００５３】
なお、上述の各実施形態においては、凸レンズからの光を受光する受光手段として受光素子を用いているが、これに限られることなく、例えばイメージセンサを用いて、凸レンズから受光する光の光量分布の変化を振動として検出するようにしてもよい。
【００５４】
そして、上述した各実施形態においては、受光手段がパチンコ機ＰＭの遊技盤、またはその背面の裏セット盤に取り付けられた場合について説明したが、これに限られることなく、前枠２、または各入賞装置に落入して遊技盤１０の背面側に排出された遊技球を下方へ流下させる球寄せカバー１５等、光を受光できる箇所であればパチンコ機ＰＭのどこに配設してもよい。
【００５５】
そして、上述の各実施形態においては、振動検出装置がパチンコ機ＰＭに配設された例について説明したが、これに限られることなく、スロットマシン等パチンコ機以外の各種機器、各種設備等にも配設することができる。
【図面の簡単な説明】
【００５６】
【図１】パチンコ機の正面図である。
【図２】図１に示すパチンコ機の側面部分断面図である。
【図３】遊技盤の正面図である。
【図４】遊技盤の背面図である。
【図５】ベース部材の正面図である。
【図６】中間部材の正面図である。
【図７】裏セット盤の背面に第１実施形態における振動検出装置を配設した際の遊技盤を表す、遊技盤と裏セット盤の断面図である。
【図８】振動検出時に作動する機器を表したブロック図である。
【図９】裏セット盤の背面に第２実施形態における振動検出装置を配設した際の遊技盤を表す、遊技盤と裏セット盤の断面図である。
【図１０】裏セット盤の背面に第３実施形態における振動検出装置を配設した際の遊技盤を表す、遊技盤と裏セット盤の断面図である。
【図１１】裏セット盤の背面に第４実施形態における振動検出装置を配設した際の遊技盤を表す、遊技盤と裏セット盤の断面図である。
【図１２】振動検出装置を直接ベース部材に配設した際の、第５実施形態における振動検出装置周辺を表す、遊技盤と裏セット盤の断面図である。
【符号の説明】
【００５７】
ＰＭ  パチンコ機
ＰＡ  遊技領域
１０  遊技盤
２０  ベース部材
３０  中間部材
４０  シート部材
５１  遊技釘
６３  凸レンズ
７０  振動検出装置（第１実施形態）
７１  受光素子（第１実施形態）
７２  ハウジング（第１実施形態）
８０  裏セット盤
１００  振動検出装置（第２実施形態）
１０１  受光素子（第２実施形態）
１０２  ハウジング（第２実施形態）
１１０  絞り
１２０  振動検出装置（第３実施形態）
１２１  光学素子（第３実施形態）
１２２  ハウジング（第３実施形態）
１２４  板バネ
１３０  振動検出装置（第４実施形態）
１３１  光学素子（第４実施形態）
１３２  ハウジング（第４実施形態）
１３４  Ｕ字型板バネ
１３６  第２ネジ
１３８  第２ネジ穴
１５０  振動検出装置（第５実施形態）
１５１  受光素子（第５実施形態）
１５２  弾性板
１５３  凸レンズ（第５実施形態）
【図１】
2010029305.tif 000003
【図２】
2010029305.tif 000004
【図３】
2010029305.tif 000005
【図４】
2010029305.tif 000006
【図５】
2010029305.tif 000007
【図６】
2010029305.tif 000008
【図７】
2010029305.tif 000009
【図８】
2010029305.tif 000010
【図９】
2010029305.tif 000011
【図１０】
2010029305.tif 000012
【図１１】
2010029305.tif 000013
【図１２】
2010029305.tif 000014